(57)【特許請求の範囲】
【請求項１】
プレーンアンテナが一体的に形成された無線通信モジュールを内装した電子機器であって、前記無線通信モジュールは前記プレーンアンテナの給電部として構成される無線通信回路部を備え、前記プレーンアンテナは導体パターンの基端部において給電されて先端部が基端部から所定の方向に延長されたモノポールアンテナとして構成され、さらに前記無線通信モジュールの接地端に電気接続された導体を備えており、当該導体は前記無線通信モジュールを電子機器の内部構体に固定するための導電部材で構成され、前記プレーンアンテナとは反対方向に突出状態に延長されていることを特徴とする電子機器。
【請求項２】
プレーンアンテナが一体的に形成された無線通信モジュールを内装した電子機器であって、前記無線通信モジュールは前記プレーンアンテナの給電部として構成される無線通信回路部を備え、前記プレーンアンテナは導体パターンの基端部において給電されて先端部が基端部から所定の方向に延長されたモノポールアンテナとして構成され、さらに前記無線通信モジュールの接地端に電気接続された導体を備えており、当該導体はフレキシブル回路基板に一体に形成されている導体層で構成され、前記プレーンアンテナとは反対方向に突出状態に延長されていることを特徴とする電子機器
【請求項３】
前記無線通信モジュールは、回路基板と、この回路基板に構築された前記無線通信回路部を含み、前記プレーンアンテナは前記回路基板の一方の面に形成された所要の導体パターンで構成されている請求項１又は２に記載の電子機器。
【請求項４】
前記導体は電子機器の内部構体の接地端に電気接続されている請求項３に記載の電子機器。
【請求項５】
プレーンアンテナが一体的に形成された無線通信モジュールを内装した電子機器であって、前記無線通信モジュールは前記プレーンアンテナの給電部として構成される無線通信回路部を備え、前記プレーンアンテナは導体パターンの基端部において給電されて先端部が基端部から所定の方向に延長されたモノポールアンテナとして構成され、さらに前記無線通信モジュールの接地端に電気接続された導体を備えており、当該導体は前記プレーンアンテナの面と垂直方向に対向配置されて前記プレーンアンテナを含む面領域に延在された接地面部として構成されていることを特徴とする電子機器。
【請求項６】
前記無線通信モジュールは、回路基板と、この回路基板に構築された前記無線通信回路部を含み、前記プレーンアンテナは前記回路基板の一方の面に形成された所要の導体パターンで構成されている請求項５に記載の電子機器。
【請求項７】
前記導体は前記プレーンアンテナの面領域を越えた領域にまで延長されている請求項６に記載の電子機器。
【請求項８】
前記無線通信モジュールに接続されるフレキシブル回路基板を備え、前記導体は当該フレキシブル回路基板に一体に形成されている導体層で構成されている請求項５ないし７のいずれかに記載の電子機器。
【請求項９】
前記フレキシブル回路基板は前記無線通信モジュールと電子機器の内部構体を電気接続する回路基板である請求項８に記載の電子機器。
【請求項１０】
請求項１ないし９のいずれかに記載の電子機器であって、撮像装置として構成された電子機器。
【請求項１１】
前記無線通信モジュールは、無線ＬＡＮ通信用のモジュールである請求項１ないし１０のいずれかに記載の電子機器。  
【発明の詳細な説明】
【技術分野】
【０００１】
本発明は無線通信モジュールを備える無線通信機器に関し、特にアンテナが一体的に形成されている無線通信モジュールを備えたカメラやビデオカメラ等の光学機器ないしは携帯機器に適用して好適な電子機器に関するものである。
【背景技術】
【０００２】
近年、光学機器、なかでもデジタルカメラやビデオカメラ等の撮像装置には、無線通信機能を備えた撮像装置が提案されている。無線通信機能を備えるためには、撮像装置の本体内に無線通信モジュールを配設することが行なわれる。この無線通信モジュールとして、無線通信回路部とアンテナとを１つの回路基板に一体的に構築してモジュール化したものが提供されており、この無線通信モジュールを撮像装置のケース内に内装すれば無線通信機能を備えた撮像装置を容易に実現することができる。
【０００３】
このような無線通信モジュールでは、アンテナとしてチップアンテナやプレーンアンテナ（パターンアンテナとも称する）が用いられることが多い。無線通信モジュールの小型化の要請に伴ってアンテナも小型化される傾向にあるため、高いアンテナ利得や広い指向性のアンテナを得ることが難しい。また、金属製のケースを有する電子機器では、ケースの有する導電性や電磁遮蔽性がアンテナ特性に影響を及ぼすことがある。
【０００４】
特許文献１には、無線通信モジュールでの無線通信性能を改善するための一つの要素として、無線通信に影響を及ぼす静電気の影響を回避する技術が提案されている。ここでは、無線通信モジュールのグランドと、電子機器の外装カバーに接続されるシャーシ部材とのビスによる締結構造を改善する技術が提案されている。
【０００５】
特許文献２には、無線通信モジュールでの無線通信性能を改善するために、アンテナの送受信特性を改善している。ここでは、無線通信モジュールに設けられているチップアンテナを覆うように櫛歯パターン部を有するフレキシブルプリント配線板を配設しており、この櫛歯パターン部のパターン形状を特定することにより、チップアンテナの送受信特性を改善する技術が提案されている。
【先行技術文献】
【特許文献】
【０００６】
【特許文献１】特開２０１５−３５７４２号公報
【特許文献２】特開２０１４−２３００６５号公報
【発明の概要】
【発明が解決しようとする課題】
【０００７】
特許文献１の技術は、静電気の影響を回避して無線通信性能を高めるには有効であるが、アンテナ特性を改善することは難しい。特許文献２の技術は、チップアンテナには有効であると言えても、プレーンアンテナのアンテナ特性を改善するには有効であるかは明確ではない。
【０００８】
本発明の目的は、無線通信モジュールに設けられているプレーンアンテナのアンテナ特性を改善することを可能にしたカメラや携帯機器等の電子機器を提供するものである。
【課題を解決するための手段】
【０００９】
本発明の第１の形態は、プレーンアンテナが一体的に形成された無線通信モジュールを内装した電子機器であって、前記無線通信モジュールは前記プレーンアンテナの給電部として構成される無線通信回路部を備え、前記プレーンアンテナは導体パターンの基端部において給電されて先端部が基端部から所定の方向に延長されたモノポールアンテナとして構成され、さらに前記無線通信モジュールの接地端に電気接続された導体を備えており、当該導体は無線通信モジュールを電子機器の内部構体に固定するための導電部材で構成され、前記プレーンアンテナとは反対側に突出状態に延長されている。
【００１０】
ここで、本発明にかかる無線通信モジュールは、回路基板と、この回路基板に構築された無線通信回路部を含み、プレーンアンテナは回路基板の一方の面に形成された所要の導体パターンで構成される。
【００１１】
本発明の第２の形態は、プレーンアンテナが一体的に形成された無線通信モジュールを内装した電子機器であって、前記無線通信モジュールは前記プレーンアンテナの給電部として構成される無線通信回路部を備え、前記プレーンアンテナは導体パターンの基端部において給電されて先端部が基端部から所定の方向に延長されたモノポールアンテナとして構成され、さらに前記無線通信モジュールの接地端に電気接続された導体を備えており、当該導体は前記プレーンアンテナの面と垂直方向に対向配置されて前記プレーンアンテナを含む面領域に延在された接地面部として構成されている。
【発明の効果】
【００１２】
本発明によれば、無線通信モジュールから延長された接地された導体がプレーンアンテナとで対をなすアンテナ素子を構成し、指向性のあるダイポールアンテナと等価なアンテナを構成し、あるいは導体によりアンテナの接地面積が増大されるので、無線通信モジュールを大型化することなくプレーンアンテナのアンテナ特性を改善することができる。
【図面の簡単な説明】
【００１３】
【図１】本発明の実施形態のデジタルカメラの外観斜視図。
【図２】実施形態のデジタルカメラの上カバーを分解した斜視図。
【図３】（ａ）無線通信モジュールを上方から見た斜視図、（ｂ）無線通信モジュールを下方から見た斜視図。
【図４】（ａ）無線通信モジュールのサブアッセンブリ状態の斜視図、（ｂ）カメラに組み込んだ状態の斜視図。
【図５】サブアッセンブリされる無線通信モジュールの分解斜視図。
【図６】無線通信モジュールをカメラ本体部内に配設した状態の断面図。
【図７】実施形態と比較対象の各アンテナ特性図。
【図８】無線通信モジュールの変形例の斜視図。
【図９】他の変形例の無線通信モジュールを配設したカメラの内部構成の側面図。
【図１０】他の実施形態の無線通信モジュールの分解斜視図。
【図１１】（ａ）他の実施形態の無線通信モジュールを配設したカメラの一部の平面図、（ｂ）その斜視図。
【図１２】図１１（ａ）の無線通信モジュールの（ａ）断面図と（ｂ）底面図。
【図１３】他の実施形態と比較対象の各アンテナ特性図。
【発明を実施するための形態】
【００１４】
次に、本発明の実施の形態について図面を参照して説明する。図１は本発明を適用した電子機器としてのカメラの外観図であり、このカメラは固定無線局あるいは無線端末局との間で無線通信が可能なコンパクト型のデジタルカメラＣＡＭとして構成されている。カメラ本体部１の前面にレンズ鏡筒２が沈胴状態に内装されており、撮影時にカメラ本体部１から突出されるようになっている。カメラ本体部１の上面には、ホットシュー１１、モードダイヤル１２、シャッターボタン１３等が配置されている。
【００１５】
カメラ本体部１は、後述するカメラ内部構体３（図２参照）を有しており、このカメラ内部構体３はマグネシウム合金等の機械的な強度の高い金属材からなるケース４内に内装されている。このケース４は、樹脂成形品の表面に金属粉を含有する塗料を塗布した構成であってもよい。前記ケース４は、カメラ本体部１の前面、後面、左右両側面、下面（底面）、上面を覆うように配設される各カバーで構成されているが、図１には、カメラ本体部１の左右両側面を含んだ前面を覆う前カバー４Ｆと、ケース本体部１の上面部を覆う上カバー４Ｕが図示されている。
【００１６】
図２は前記上カバー４Ｕをカメラ本体部１から取り外した状態の分解斜視図であり、前記ケース４内に前記カメラ内部構体３が内装されている。前記上カバー４Ｕは、前記ホットシュー１１が取着される部位と隣接する部位に、上カバー４Ｕの表裏を連通させる、すなわちケース４の内外を連通させる矩形の窓４１が開口されている。この開口窓４１は樹脂材等の電磁波を透過することが可能な非金属材からなる装飾カバー４２により塞がれている。この装飾カバー４２は自身の周縁部が前記開口窓４１の周縁部に当接された状態で配設され、接着等の手段によって前記上カバー４Ｕに一体化されている。この装飾カバー４２の上面高さは前記ホットシュー１１の上面高さに等しくあるいはそれよりも低い位置となるように設計されている。また、装飾カバー４２を上カバー４Ｕに一体化することにより、前記開口窓４１を通してのカメラ内部の防塵性と防水性が確保される。
【００１７】
前記カメラ内部構体３の上面で、前記上カバー４Ｕの前記開口窓４１に対応する部位、すなわち前記装飾カバー４２に対応する部位には無線通信モジュール５が配設され、当該カメラ内部構体３に固定支持されている。ここでは、前記無線通信モジュール５は２．４ＧＨｚ近傍の周波数でのＷＬＡＮ（無線ＬＡＮ）通信を行なう無線通信モジュールとして構成されている。
【００１８】
この無線通信モジュール５は、図３（ａ）に上方から見た斜視図を示すように、長方形をしたプリント回路基板５１の一方の面（以下、この面を表面とする）に無線通信回路部を構成する電子部品が搭載されるとともに、これら電子部品を封止するように金属材で形成されたシールドカバー５２が取着されている。前記電子部品はシールドカバー５２に覆われており、図３（ａ）には表れていない。このシールドカバー５２は前記した電子部品が露呈されることを防止し、電子部品からの電磁波の放射を防止するとともに、無線通信回路部が改変されることを防止するために設けられている。
【００１９】
また、前記プリント回路基板５１の表面の長手方向の一端側の領域で、前記シールドカバー５２が配設されていない領域には、導体パターン膜からなるプリント回路の一部で逆Ｆ型パターンのプレーンアンテナ５３が形成されている。このプレーンアンテナ５３は無線通信モジュール５が駆動されたときに、通信用の電磁波を送信しあるいは受信するものであり、その基端部は前記シールドカバー５２内にまで延長されており、このシールドカバー５２内に構成されている無線通信回路部に接続されて給電が行なわれる。当該プレーンアンテナ５３の先端部は巻き込むように折り返したパターン形状で前記プリント回路基板５１の一端側に向けられている。
【００２０】
前記プリント回路基板５１の表面の他端側の一部にはコネクタ５４が搭載されており、プリント回路を介して前記無線通信回路部に電気接続されている。このコネクタ５４には後述するＦＰＣ（フレキシブルプリント回路基板）が接続可能とされている。
【００２１】
図３（ｂ）に前記無線通信モジュール５を下方から見た斜視図を示すように、前記プリント回路基板５１の表面と反対側の面、すなわち裏面には広い領域にわたって導体パターン膜からなるＧＮＤ（接地）パターン５５が形成されている。このＧＮＤパターン５５は前記プレーンアンテナ５３が形成されている長手方向の一端側の領域には形成されていない。
【００２２】
前記プリント回路基板５１の長手方向の他端側には、無線通信モジュール５を前記カメラ内部構体に固定する際に用いられる２つの穴が開口されている。中央寄りの穴は位置決め穴５６であり、端の穴は固定用穴５７である。前記位置決め穴５６と前記固定用穴５７は前記ＧＮＤパターン５５の領域内に配設されている。
【００２３】
前記無線通信モジュール５は、図４（ａ）に当該モジュールの斜視図を示すように、樹脂製のリテーナ６と金属製のモジュールシャーシ７とでサブアッセンブリされた上で前記カメラ内部構体３に固定される。図５はサブアッセンブリされる無線通信モジュール５の分解斜視図である。前記リテーナ６は、概ね矩形をした底板６１と、この底板６１の一方の縁部に立設された台部６２と、他方の縁部において短手方向に対向配置された支承柱６３，６４と、当該他方の縁部から突出形成された固定片６５を有している。
【００２４】
前記無線通信モジュール５は、図４（ｂ）に斜視図を示すように、プリント回路基板５１の表面に設けたシールドカバー５２が下方に向けられるようにしてリテーナ６上に載置される。プリント回路基板５１の他端側の表面は台部６２の上面に当接され、シールドカバー５２はリテーナ６の底板６１の上面に沿って配設される。このとき、シールドカバー５２と底板６１との間に微小寸法のクリアランス（空隙）を確保することにより、前記プレーンアンテナ５３のマッチング調整を行なうことができる。また、プリント回路基板５１の一端側の両側縁は支承柱６３，６４の内側面に当接され、リテーナ６に対するプリント回路基板５１の位置決めが行なわれる。さらに、プリント回路基板５１の位置決め穴５６は、前記リテーナ６の台部６２の上面から突出されている位置決め突起６６が嵌入され、リテーナ６に対する無線通信モジュール５の位置決めが行なわれる。
【００２５】
また、リテーナ６の台部６２の下面に金属細片で形成された前記モジュールシャーシ７の一端部が当接される。このモジュールシャーシ７は、他端部が前記プリント回路基板の長手方向の他端方向、換言すれば前記プレーンアンテナ５３に対してその給電部の方向に向けて延長される。そして、前記固定用穴５７に上方から内挿されたビス（小ねじ）Ｂ１がモジュールシャーシ７のねじ穴７１に螺合されることにより、プリント回路基板５１、台部６２、モジュールシャーシ７が一体的に締結され、同時にモジュールシャーシ７は無線通信モジュール５のＧＮＤに電気接続される。
【００２６】
図６は、以上のようにサブアッセンブリされた無線通信モジュール５、リテーナ６およびモジュールシャーシ７をカメラ本体部１の内部に配設した状態の断面図である。前記上カバー４Ｕに一体化された前記装飾カバー４２と、前記カメラ内部構体３の上部領域との間には、所要形状及び深さ寸法の空隙部Ｓが確保されており、この空隙部Ｓに無線通信モジュール５が収納された状態で配設され、かつ前記カメラ内部構体３に固定支持されている。
【００２７】
前記リテーナ６は固定片６５においてビスＢ２によりカメラ内部構体３の一部に固定される。このとき、無線通信モジュール５は、シールドカバー５２を下方に向けて固定することで、プレーンアンテナ５３を上方の高い位置に配置でき、上カバー４Ｕの開口窓４１を通してプレーンアンテナ５３を上カバー４Ｕの外面よりも外側に位置させることができる。なお、隣接位置に設けられているホットシュー１１に対しては高さが低い位置にあり、この点ではアンテナ特性の点で必ずしも好ましくはない。ここではプレーンアンテナ５３は開口窓４１の縁部４１ａよりも高さ寸法Ｈ１だけケース４の外側に位置されている。これにより、無線通信モジュール５によって上カバー４Ｕの高さ寸法が大きくされることはなく、上カバー４Ｕによってプレーンアンテナ５３の指向性が抑制されることが防止できる。
【００２８】
また、前記無線通信モジュール５は、モジュールシャーシ７のねじ穴７２，７３を利用してビスＢ３，Ｂ４によりカメラ内部構体３のフレーム３１に締結される。このフレーム３１はカメラ内部構体３のＧＮＤに電気接続されているので、無線通信モジュール５がカメラ内部構体３に固定支持されたときには、当該無線通信モジュール５のＧＮＤパターン５５はビスＢ１及びモジュールシャーシ７を介してカメラ内部構体３のＧＮＤに電気接続されることになる。
【００２９】
さらに、図３に示した無線通信モジュール５に設けられているコネクタ５４には、図５に示したＦＰＣ（フレキシブルプリント回路基板）８のモジュール端子部８１が嵌合されて電気接続される。このＦＰＣ８のカメラ端子部８２はカメラ内部構体３に電気接続されているので、無線通信モジュール５の信号回路はカメラ内部構体３の信号回路に電気接続される。
【００３０】
以上の構成の実施形態のカメラＣＡＭでは、無線通信モジュール５を駆動して他の無線局との間での無線通信を行なう際には、無線通信モジュール５のプレーンアンテナ５３から送信される電磁波、あるいは受信される電磁波は、電磁遮蔽部材で形成されている前カバー４Ｆと上カバー４Ｕによって遮蔽されるが、上カバー４Ｕに開口した開口窓４１は電磁遮蔽しない装飾カバー４２によって閉塞されているだけであるので、この開口窓４１及び装飾カバー４２を通して電磁波を送受することが可能になる。
【００３１】
この電磁波の送受に際し、実施形態の無線通信モジュール５では、プレーンアンテナ５３はプリント回路基板５１に形成された導体パターンとして形成されているが、無線通信モジュール５のＧＮＤパターン５５にモジュールシャーシ７が電気接続されていることにより、アンテナ特性を改善することが可能になる。すなわち、実施形態で用いている無線通信モジュール５のプレーンアンテナ５３は逆Ｆ型のパターンアンテナで構成されており、このアンテナはモノポールアンテナとして機能する。
【００３２】
一般に、モノポールアンテナはＧＮＤ接地面に垂直方向に導体を立設し、そのＧＮＤ接地面付近において給電することでＧＮＤ面を鏡面とした電流分布をとる。そのため、ＧＮＤ接地面の状態がアンテナ特性に与える影響は無視できない。無線通信モジュール５のプリント回路基板５１の裏面にＧＮＤ接地面として機能するＧＮＤパターン５５が存在しているが、このＧＮＤパターン５５はプリント回路基板５１の平面サイズよりも大きな面積に形成することができないため、アンテナ特性の改善には限界がある。
【００３３】
この実施形態では、図４から判るように、無線通信モジュール５のＧＮＤパターン５５にビスＢ１を介して細片状のモジュールシャーシ７が電気接続され、しかもこのモジュールシャーシ７はプレーンアンテナ５３に対してその給電部であるシールドカバー５２内の無線通信回路部の方向に向けて、すなわちプレーンアンテナ５３とは反対方向に向けて延長されていることにより、モジュールシャーシ７はプレーンアンテナ５３と対をなすＧＮＤ接地側のアンテナ素子として機能することになる。この実施形態では、モジュールシャーシ７はホットシュー１１の前側領域にわたって延長されているので、前記したようなホットシュー１１の存在になるプレーンアンテナ５３のアンテナ特性の好ましくない点についても改善できる。したがって、このモジュールシャーシ７を含めてプレーンアンテナ５３はダイポールアンテナと等価な構成となり、アンテナ特性が改善されることになる。特に、ダイポールアンテナはモノポールアンテナに比較して指向性が高められ、プレーンアンテナ５３の面と垂直な方向、すなわち装飾カバー４２に向けられた方向の指向性が改善される。
【００３４】
図７は無線通信モジュール５にモジュールシャーシ７が接続された場合と、接続されていない場合のアンテナ特性の測定結果を示している。実線が接続された場合、破線が接続されていない場合である。このアンテナ特性は、プレーンアンテナ５３の平面を基準面とし、基準面に対する０〜１８０度の立体放射角範囲のアンテナ利得を積分した値である。ここでは、３つの異なる周波数について測定している。この結果から、モジュールシャーシ７が接続されたことによりアンテナ特性が改善されていることが判る。ただし、モジュールシャーシ７が接続されたことにより、マッチング周波数が幾分変化されるので、この調整を行なうことにより目的とする周波数において最大のアンテナ効果を得ることができる。
【００３５】
この実施形態では、モジュールシャーシ７は、無線通信モジュール５をカメラ内部構体３に固定するための固定用部材としても構成しているが、無線通信モジュール５をモジュールシャーシ７を利用することなくカメラ内部構体３に固定させる場合には、モジュールシャーシ７は無線通信モジュール５に対して片持梁状に接続されるのみでよく、カメラ内部構体３に対して連結されなくてもよい。この場合にはモジュールシャーシ７はカメラ内部構体３のＧＮＤに電気接続されなくてもよい。
【００３６】
また、無線通信モジュールをこのように構成する場合には、図８に変形例の無線通信モジュールの斜視図を示すように、モジュールシャーシに代えて、細片状に形成した金属薄板あるいは表面に導電膜が形成されたフレキシブルなテープからなる導体テープ７Ａの一端部を無線通信モジュール５のＧＮＤパターン５５に接続し、当該導体テープ７Ａの他端部をプレーンアンテナ５３の給電部（シールドカバー５２の領域）の方向、すなわちプレーンアンテナ５３とは反対方向に延長配置するようにしてもよい。このようにしても、導体テープ７Ａとプレーンアンテナ５３とでダイポールアンテナと等価なアンテナが構成でき、アンテナ特性を改善することができる。
【００３７】
実施形態のモジュールシャーシ７や導体テープ７Ａは、プレーンアンテナ５３と対をなすアンテナ素子として機能するので、無線通信モジュール５のＧＮＤパターン５５に接続されていればよく、前記したように必ずしもカメラ内部構体３のＧＮＤに接続する必要はない。しかし、アンテナにおける接地効果を高めることによりアンテナ特性を改善することもできるので、可能であればモジュールシャーシ７や導電テープ７Ａをカメラ内部構体３のＧＮＤに接続することが好ましい。
【００３８】
また、フレキシブルな導体テープ７Ａを用いてアンテナ特性を改善しようとする場合には、導体テープ７Ａの配設に際しての自由度が高くなるので、電子機器内における無線通信モジュールの配設位置の制約が少なくなる。したがって、例えば、図９に他の変形例を備えたカメラの内部構成の側面図を示すように、一眼レフカメラＣＡＭ１に本発明を適用する際には、当該カメラＣＡＭ１のカメラ本体部１Ａのケース４のうち、グリップ部を構成している前カバー４Ｆの一部に開口窓４１Ａを形成し、この開口窓４１Ａを臨む位置に無線通信モジュール５を配設する。この開口窓４１Ａは金属製のケースの場合に開口されるが、樹脂製のケースの場合には開口窓は不要である。
【００３９】
その上で、当該無線通信モジュール５に設けられているプレーンアンテナ５３に対してその給電部（シールドカバー５２の領域）の方向に向けて、すなわちプレーンアンテナ５３とは反対方向に向けてフレキシブルな導体テープ７Ａを接続すればよい。導体テープ７Ａの一端部を無線通信モジュール５のＧＮＤパターン５５に接続し、他端部をプレーンアンテナ５３と反対の給電部の方向に向けて延長する。さらに、この導体テープ７Ａを無線通信モジュールのＧＮＤに接続することが好ましい。導体テープ７Ａが導電性接着面を有していれば、その接着面を無線通信モジュール５のＧＮＤパターン５５に対して貼り付けるだけで本発明が実現できる。
【００４０】
図１０は本発明の他の実施形態にかかる無線通信モジュール５の分解斜視図である。前記実施形態と等価な部分には同一符号を付してある。この実施形態は無線通信モジュール５に前記実施形態のようなモジュールシャーシ７や導体テープ７Ａを接続することが難しい無線通信モジュールを配設したカメラである。無線通信モジュール５はリテーナ６と共にビスＢ１，Ｂ２によってカメラ内部構体に直接的に固定されている。
【００４１】
一方、無線通信モジュールのコネクタに接続されるＦＰＣ８は、前記したようにコネクタ端子部８１とカメラ端子部８２を備えているが、コネクタ端子部８１に隣接する部位に平面板状に形成されたＧＮＤ面部８３が設けられている。このＧＮＤ面部８３は、前記無線通信モジュール５のプリント回路基板５１に形成されている前記プレーンアンテナ５３の領域を含み、さらにプリント回路基板５１の長手方向の一端からプレーンアンテナ５３に向けた方向に所要の長さ領域にわたって延長された形状及び面積に形成されている。なお、実施形態では、ＧＮＤ面部８３の一部に、リテーナ６をカメラ内部構体３に固定するためのビスＢ２が挿通可能なビス挿通穴８４が開口されている。
【００４２】
図１１（ａ）は前記他の実施形態の無線通信モジュール５をＦＰＣ８とともにカメラ内部構体３に固定した状態の平面図、図１１（ｂ）はその斜視図である。また、図１２（ａ）はその拡大断面図、図１２（ｂ）は概略底面図である。前記ＦＰＣ８のＧＮＤ面部８３はプリント回路基板５１の下側に向けられている表面に沿ってほぼ水平方向に延長された状態に配設される。この実施形態では、ＧＮＤ面部８３は無線通信モジュール５のシールドカバー５２の下側に沿って延長され、少なくともプリント回路基板５１に形成されているプレーンアンテナ５３の下方においてプリント回路基板５１と垂直な方向に重なった状態で対向配置される。さらにＧＮＤ面部８３は、プレーンアンテナ５３の下方領域からシールドカバー５２の反対側にプリント回路基板５１よりも突出した領域にわたって配置されている。なお、この他の実施形態では前記実施形態のモジュールシャーシ７を併せて配設した例を示しているが、モジュールシャーシ７は図１０に示したように必ずしも配設していなくてもよい。
【００４３】
この実施形態では、ＦＰＣ８のコネクタ端子部８１をコネクタ５４に接続したときには、ＦＰＣ８のＧＮＤ面部８３は無線通信モジュール５のＧＮＤに電気接続される。したがって、プレーンアンテナ５３の下方領域には、当該プレーンアンテナ５３を含む広い領域にわたってプレーンアンテナ面と垂直方向に対向配置されたＧＮＤ面部８３による接地領域が形成される。特に、プレーンアンテナ５３の給電部と反対側の領域にまで延長された接地領域が形成され、前記したようにモノポールアンテナにおける接地面積が拡大されることになり、アンテナ特性が改善される。
【００４４】
図１３はこの実施形態において、ＧＮＤ面部を配設した場合と、配設していない場合の各アンテナ特性の測定結果を示している。実線が配設していない場合、一点鎖線が配設した場合である。このアンテナ特性は、図７と同様にプレーンアンテナ５３の平面を基準面とし、基準面に対する０〜１８０度の立体放射角範囲のアンテナ利得を積分した値である。ここでは多数の異なる周波数について測定した。この結果から、ＧＮＤ面部８３を配設することによりアンテナ特性が改善されていることが判る。また、破線で示すように、ＧＮＤ面部８３がプレーンアンテナ５３ないしはプリント回路基板５１から延長されている長さが大きくなると、アンテナ特性がさらに改善できることが判る。因みに、ＧＮＤ面部８３が、プレーンアンテナ５３の面積と同面積又は１／２程度の面積だけ延長されると顕著な改善効果が得られる。また、ＧＮＤ面部８３をシールドカバー５２から離間する距離を大きくした方が改善効果が顕著なものになる。
【００４５】
なお、ビスＢ２を用いないで無線通信モジュールをカメラ内部構体に固定する構造の場合には、ＧＮＤ面部８３に設けたビスの挿通穴８４を省略してもよい。これにより、ＧＮＤ面部８３の面積を大きくし、さらなるアンテナ特性の改善が見込まれる。
【００４６】
また、ＧＮＤ面部は必ずしもＦＰＣと一体に形成する必要はなく、独立した導体板あるいは導体シートをプリント回路基板の下側領域ないしプレーンアンテナの給電部と反対側に延長した状態で配設し、これを無線通信モジュールのＧＮＤに電気接続する構成としてもよい。
【００４７】
実施形態におけるモジュールシャーシ、導体テープ、ＧＮＤ面部は使用する周波数領域において無線通信モジュールやカメラ内部構体のＧＮＤに電気接続されていればよく、直流的に電気接続されていなくてもよい。したがって、これらの間に生じる浮遊容量によって交流的に電気接続されるのであれば、物理的に電気接続される構成でなくてもよい。
【００４８】
本発明が適用される無線通信モジュールは、ＷＬＡＮ以外の無線通信を行なうための無線通信モジュールであっても良いことは言うまでもない。また、実施形態の構成の無線通信モジュールに限られるものではなく、基板の一方の領域にプレーンアンテナが形成され無線通信回路部から給電される構成の無線通信モジュールであれば適用できる。無線通信モジュールの形態の違いにかかわらず、プレーンアンテナの給電部を挟んで当該プレーンアンテナと反対方向に導体を延長し、無線通信モジュールのＧＮＤに電気接続するようにすればよい。
【００４９】
実施形態では本発明を無線通信モジュールを内装したカメラに適用したが、カメラ以外の撮像装置への適用も可能である。あるいは、撮像装置以外の機器、特に小型化が要求される無線通信機能を有する電子機器で、プレーンアンテナを一体に有する無線通信モジュールを配設した電子機器に適用することが可能である。例えば、ノートＰＣ、プリンタ、スマートフォン、タブレット型端末、デジタルフォトフレーム、音楽プレーヤー、ゲーム機等に適用できる。
【符号の説明】
【００５０】
１  カメラ本体部
２  レンズ鏡筒
３  カメラ内部構体
４  ケース
４Ｆ  前カバー
４Ｕ  上カバー
５  無線通信モジュール
６  リテーナ
７  モジュールシャーシ
８  ＦＰＣ
４１  開口窓
５１  プリント回路基板（回路基板）
５２  シールドカバー（無線通信回路部）
５３  プレーンアンテナ（アンテナ）
５４  コネクタ
５５  ＧＮＤパターン
８３  ＧＮＤ面部
【図１】
0006623588.tif 000002
【図２】
0006623588.tif 000003
【図３】
0006623588.tif 000004
【図４】
0006623588.tif 000005
【図５】
0006623588.tif 000006
【図６】
0006623588.tif 000007
【図７】
0006623588.tif 000008
【図８】
0006623588.tif 000009
【図９】
0006623588.tif 000010
【図１０】
0006623588.tif 000011
【図１１】
0006623588.tif 000012
【図１２】
0006623588.tif 000013
【図１３】
0006623588.tif 000014